(57)【要約】【課題】装置の移動前と移動後とで操作環境が異なる場合に、適切な表示設定に切り替えること。【解決手段】画像形成装置１は、表示設定に応じた表記で情報を表示する操作パネル１５を有し、ＣＰＵ１１は、第一の表示設定から第二の表示設定への変更を予約することが可能であり、予約がある場合、ＣＰＵ１１は、第一の表示設定を所定のタイミングで第二の表示設定に切り替える。【選択図】図４
2020100038.tif 000002
【特許請求の範囲】
【請求項１】
表示設定に応じた表記で情報を表示する表示手段と、
第一の表示設定から第二の表示設定への変更を予約する予約手段と、
前記予約手段による予約がある場合、前記第一の表示設定を所定のタイミングで前記第二の表示設定に切り替える切替手段と、
を備えることを特徴とする画像形成装置。
【請求項２】
前記表示設定は、言語種別の設定を含むことを特徴とする請求項１に記載の画像形成装置。
【請求項３】
前記表示設定は、タイムゾーンの設定を含むことを特徴とする請求項１または２に記載の画像形成装置。
【請求項４】
前記表示設定は、単位系の設定を含むことを特徴とする請求項１から３のいずれか一項に記載の画像形成装置。
【請求項５】
前記所定のタイミングは、前記予約手段による予約がされた後に前記画像形成装置が停止し、その後に前記画像形成装置が起動されたことに応じて決定されるタイミングであることを特徴とする請求項１から４のいずれか一項に記載の画像形成装置。
【請求項６】
前記所定のタイミングは、前記予約手段による予約がされた後に所定の日時が経過したことに応じて決定されるタイミングであることを特徴とする請求項１から４のいずれか一項に記載の画像形成装置。
【請求項７】
前記予約手段は、前記第一の表示設定に応じた表記で前記表示手段に表示されている画面を通じて入力された指示に従って前記変更を予約することを特徴とする請求項１から６のいずれか一項に記載の画像形成装置。
【請求項８】
前記予約手段は、前記画像形成装置を移動する指示の入力があったことに応じて前記画面を前記表示手段に表示させることを特徴とする請求項７に記載の画像形成装置。
【請求項９】
前記予約手段は、移動のためのインクの排出処理があったことに応じて前記画面を前記表示手段に表示させることを特徴とする請求項７に記載の画像形成装置。
【請求項１０】
前記予約手段による予約の内容を記憶する記憶手段をさらに備え、
前記切替手段は、前記記憶手段に記憶されている前記予約の内容に基づいて切り替えを行うことを特徴とする請求項７から９のいずれか一項に記載の画像形成装置。
【請求項１１】
前記切替手段によって前記第二の表示設定に切り替えられた後に、前記表示手段は、所定のメニュー画面を表示することを特徴とする請求項１から１０のいずれか一項に記載の画像形成装置。
【請求項１２】
前記所定のメニュー画面は、再設置メニューの画面であることを特徴とする請求項１１に記載の画像形成装置。
【請求項１３】
前記切替手段は、
前記予約手段による予約がある場合、前記変更を反映するかを確認する第一確認画面を前記所定のタイミングで前記表示手段に表示させ、
前記第一確認画面を通じた指示が前記変更を反映する指示である場合、前記第一の表示設定から前記第二の表示設定への切り替えを行うことを特徴とする請求項１から１２のいずれか一項に記載の画像形成装置。
【請求項１４】
前記第一確認画面を通じた指示が前記変更を反映しない指示である場合、前記切替手段は、前記第一の表示設定に従った表記で前記情報を前記表示手段に表示させることを特徴とする請求項１３に記載の画像形成装置。
【請求項１５】
前記第一確認画面は、前記第一の表示設定による表記と前記第二の表示設定による表記とを含むことを特徴とする請求項１３または１４に記載の画像形成装置。
【請求項１６】
前記第一確認画面は、第一のボタンアイコンをさらに含み、
前記第一のボタンアイコンを通じた指示が入力された場合、前記切替手段は、表示設定を選択させるための選択画面を前記表示手段に表示させ、
前記切替手段は、前記第一の表示設定を、前記選択画面を通じて選択された表示設定に切り替えることを特徴とする請求項１３から１５のいずれか一項に記載の画像形成装置。
【請求項１７】
前記切替手段は、
前記予約手段による予約がない場合、前記第一の表示設定からデフォルトの表示設定である第三の表示設定に切り替えるかを確認する第二確認画面を前記所定のタイミングで前記表示手段に表示させ、
前記第二確認画面を通じた指示が前記第三の表示設定への切り替える指示である場合、前記第一の表示設定から前記第三の表示設定への切り替えを行うことを特徴とする請求項１から１６のいずれか一項に記載の画像形成装置。
【請求項１８】
前記第二確認画面は、前記第一の表示設定による表記と前記第三の表示設定による表記とを含むことを特徴とする請求項１７に記載の画像形成装置。
【請求項１９】
表示設定に応じた表記で情報を表示する表示手段と、
第一の表示設定から第二の表示設定への変更を予約する予約手段と、
前記予約手段による予約がある場合、前記第一の表示設定を所定のタイミングで前記第二の表示設定に切り替える切替手段と、
を備えることを特徴とする電気機器。
【請求項２０】
表示設定に応じた表記で情報を表示する表示手段を備えた画像形成装置の制御方法であって、
第一の表示設定から第二の表示設定への変更を予約する予約ステップと、
前記予約ステップによる予約がある場合、前記第一の表示設定を所定のタイミングで前記第二の表示設定に切り替える切替ステップと、
を備えることを特徴とする画像形成装置の制御方法。
【請求項２１】
表示設定に応じた表記で情報を表示する表示手段を備えた電気機器の制御方法であって、
第一の表示設定から第二の表示設定への変更を予約する予約ステップと、
前記予約ステップによる予約がある場合、前記第一の表示設定を所定のタイミングで前記第二の表示設定に切り替える切替ステップと、
を備えることを特徴とする電気機器の制御方法。
【請求項２２】
コンピュータを請求項１から１８のいずれか一項に記載の画像形成装置の各手段として、または、コンピュータを請求項１９に記載の電気機器の各手段として機能させるためのプログラム。
【発明の詳細な説明】
【技術分野】
【０００１】
本発明は、表示部における表示設定を切り替える技術に関する。
【背景技術】
【０００２】
画像形成装置などの電気機器においては、操作指示を表示するための液晶パネルなどの表示部が備えられている。画像形成装置の表示部では、言語設定、タイムゾーン設定、単位系設定など各種の表示設定に基づいてメッセージの表示が行われている。
【０００３】
画像形成装置は、第一の設置場所と異なる第二の設置場所において使用されることがある。このような場合、例えば、第一の設置場所での表示設定（例えば言語設定）を、第二の設置場所での表示設定へ変更することが行われる。第二の設置場所での表示設定への変更は、移動前に第一の設置場所の操作者によって行われるか、または、移動後に第二の設置場所の操作者によって行われる。しかしながら、各種の表示設定は、設定を変更した時点で即時反映されてしまうので、いずれの操作者が操作する場合であっても、普段使い慣れていない表示設定での操作が必要となり、使い勝手が悪い。
【０００４】
特許文献１には、操作環境に応じて表示設定を切り替える技術が記載されている。具体的には、特許文献１には、ネットワーク接続の際に、ＤＨＣＰなどで自動的に自機のＩＰアドレスを決定する機能を持つ画像形成装置において、そのＩＰアドレスの内容で使用地域を判断して、操作パネルの表示設定を切り替える技術が開示されている。
【先行技術文献】
【特許文献】
【０００５】
【特許文献１】特開２００９−２３２２０号公報
【発明の概要】
【発明が解決しようとする課題】
【０００６】
しかしながら、特許文献１の技術では、ＩＰアドレスが決定されるまでの間は、表示設定が変更されていない状態が続いてしまう。また、ＩＰアドレスによって表示設定が一意に決まらない場合もある。
【０００７】
本発明は、装置の移動前と移動後とで操作環境が異なる場合に、適切な表示設定に切り替えることを可能とすることを目的とする。
【課題を解決するための手段】
【０００８】
本発明の一態様に係る画像形成装置は、表示設定に応じた表記で情報を表示する表示手段と、第一の表示設定から第二の表示設定への変更を予約する予約手段と、前記予約手段による予約がある場合、前記第一の表示設定を所定のタイミングで前記第二の表示設定に切り替える切替手段と、を備えることを特徴とする。
【発明の効果】
【０００９】
本発明は、装置の移動前と移動後とで操作環境が異なる場合に、適切な表示設定に切り替えることが可能となる。
【図面の簡単な説明】
【００１０】
【図１】システム構成の一例を示すブロック図。
【図２】操作パネルの一例を示す図。
【図３】画像形成装置を移動させる手順を示すフローチャート。
【図４】画像形成装置の処理内容を示すフローチャート。
【図５】確認画面の一例を示す図。
【図６】画像形成装置の処理内容を示すフローチャート。
【図７】確認画面の一例を示す図。
【図８】選択画面の一例を示す図。
【図９】画像形成装置の処理内容を示すフローチャート。
【図１０】確認画面の一例を示す図。
【発明を実施するための形態】
【００１１】
以下、本発明を実施するための形態について図面を用いて説明する。なお、この実施の形態で用いる装置の各構成要素の相対配置、装置形状等は、あくまで例示であり、これらのみに限定するものではない。同一の部材については同一の参照番号を付し、重複する説明については適宜省略する。
【００１２】
＜＜実施形態１＞＞
本実施形態では、電気機器の一例として、画像形成装置を例に挙げて説明を行うものとする。しかしながら、画像形成装置に限られず、操作パネルなどの表示部を備えている電気機器であれば、いずれの装置であってもよい。
【００１３】
図１は、本実施形態に適用可能なシステム構成の一例を示す図である。図１には、本実施形態に係る画像形成装置１の内部構成の一例を示すブロック図も示している。画像形成装置１は、ネットワーク回線３を介して、ホストコンピュータ２に接続されている。画像形成装置１は、ホストコンピュータ２から、ページ記述言語を用いた印刷データを受け取り、印刷データを解析し、印刷出力するように構成されている。
【００１４】
画像形成装置１は、ＣＰＵ１１と、ＲＡＭ１２と、ブートＲＯＭ１３と、ＦｌａｓｈＲＯＭ１４と、操作パネル１５と、出力部１６と、受信バッファ１７とを有する。
【００１５】
ＣＰＵ１１は、マイクロプロセッサ（マイクロコンピュータ）形態の中央演算処理部である。ＣＰＵ１１は、ブートＲＯＭ１３に格納されているブートプログラムの制御手順に従い、ＦｌａｓｈＲＯＭ１４に格納されている実行プログラムをＲＡＭ１２上にロードし、ロードされた実行プログラムの制御手順に従って、画像形成装置１の全体を制御する。
【００１６】
受信バッファ１７は、ホストコンピュータ２から受信した、ページ記述言語を用いた印刷データを一時的に蓄積する。ブートＲＯＭ１３は、ＣＰＵ１１の初期動作をＣＰＵ１１に実行させるために、ＦｌａｓｈＲＯＭ１４に格納されている実行プログラムをＲＡＭ１２上にロードするプログラムを格納している。ＲＡＭ１２は、ＣＰＵ１１の実行プログラムの格納領域を有し、実行プログラムを実行する際に、ワークエリアとして機能する。
【００１７】
出力部１６は、画像の印刷を行う印刷部であり、印刷データに基づいて印刷メディア上に画像を印刷する。出力部１６は、例えば、複数色分の印刷ヘッドを保持し、印刷メディアの搬送に同期させて、印刷ヘッドからインクを吐出させて印刷メディア上に画像を形成する。なお、本実施形態に係る画像形成装置１は、記録剤としてインクを用いるインクジェット方式のプリンタを例に挙げて説明するが、これに限定されるものではない。画像形成装置１は、サーマルプリンタ（昇華型、熱転写型など）、ドットインパクトプリンタ、ＬＥＤプリンタ、レーザープリンタなどの電子写真方式など、様々な印刷方式を用いることができる。
【００１８】
ＦｌａｓｈＲＯＭ１４は、実行プログラム、画像形成装置１の各種動作に必要な固定データ、メッセージ文言およびイラスト等の表示リソース、言語設定情報、タイムゾーン設定情報、ならびに単位系設定情報等の各種設定情報を保存する。言語設定情報は、例えば日本語または英語等のように、操作パネル１５で表示される言語設定の情報である。タイムゾーン設定情報は、その地域の標準時間帯（タイムゾーン）の設定の情報である。単位系設定情報は、メートル法やヤードポンド法などのように単位系の設定の情報である。
【００１９】
操作パネル１５は、ユーザが種々の操作を行うためのハードキーまたはタッチパネル等の操作部、および、ユーザに種々の情報を提示（通知）するための表示部を含む。操作パネル１５は、言語設定情報に応じた言語種別に従った表記で、装置の名称、装置の状態、操作の指示、ならびに、エラーおよび警告等のメッセージ情報を表示し、画像形成装置１の操作者からの操作入力を受け付ける。なお、ユーザへの情報の提示は、不図示の音声発生器からの音響情報に基づく音響（ブザー、音声等）を出力することによって行うこともできる。
【００２０】
ホストコンピュータ２は、例えば、印刷データの供給源となる外部装置である。なお、画像形成装置１は、ホストコンピュータ２の代わりに、例えば、画像読取用のリーダ、デジタルカメラ、およびスマートフォン等の印刷データの供給源となるデバイスが接続されていてもよい。
【００２１】
以上説明した構成は、画像形成装置１の一例に過ぎず、この構成に限られるものではない。また、画像形成装置１は、図１に示していない他の構成を含んでいてもよい。
【００２２】
図２は、操作パネル１５の一例を示す図である。操作パネル１５は、画像形成装置１の操作者からの操作を受け付ける入力部２０、ならびに、装置の名称、状態、および操作の指示を表示するためにメッセージ情報を表示する表示部２１を備える。入力部２０の例としては、ボタン、キー、またはタッチパネル等がある。表示部２１の例としては、モニタまたはタッチパネル等がある。操作パネル１５は、一枚のパネルで入力部２０および表示部２１を備えているタッチパネルディスプレイであってもよい。
【００２３】
図３は、本実施形態における画像形成装置１を、現在の設置場所である第一の設置場所から別の設置場所である第二の設置場所に移動させる際の手順を示す図である。図３に示す手順は、例えば、移動元および移動先の画像形成装置の各操作者、ならびに、移動（輸送）を実施する担当者により実現される。
【００２４】
Ｓ３０１において移動元である第一の設置場所における画像形成装置１の第一操作者は、移動の準備を行う。例えば、第一操作者は、画像形成装置１に搭載されているインクタンクを取り外し、画像形成装置１内部に充填されているインクを排出するといった、移動の準備処理を実施する。
【００２５】
Ｓ３０２において輸送を実施する担当者は、移動の準備が実施された画像形成装置１を、第一の設置場所から第二の設置場所に物理的に輸送する。第一の設置場所と第二の設置場所とは、同一の国内とは限らない。本実施形態では、画像形成装置１は、操作環境（例えば使用言語）が異なる場所に輸送されるものとして説明する。
【００２６】
Ｓ３０３において移動先である第二の設置場所における画像形成装置１の第二操作者は、画像形成装置１の再設置処理を実施する。例えば、第二操作者は、インクタンクの取り付け、および、インクの再充填といった再設置処理を実施する。第一操作者と第二操作者とは、同一人物とは限らない。本実施形態では、第一操作者と第二操作者とは、別人物であるものする。
【００２７】
図４は、本実施形態における画像形成装置１の処理内容を表すフローチャートである。図４の処理は、移動元において設定変更予約を行い、予約されている設定変更を移動先において反映する処理を含んでいる。図４（ａ）は、移動元である第一の設置場所における移動の準備処理の処理内容を表す。図４（ｂ）は、移動先である第二の設置場所における再設置処理の処理内容を表す。図４に示す処理は、例えば、ＣＰＵ１１がＦｌａｓｈＲＯＭ１４に格納された実行プログラムをＲＡＭ１２に読み出して実行することにより実現される。図４におけるステップの一部または全部の機能をＡＳＩＣまたは電子回路等のハードウェアで実現してもよい。なお、各処理の説明における記号「Ｓ」は、当該フローチャートにおけるステップであることを意味する。
【００２８】
図４（ａ）を用いて、移動元における移動の準備処理を説明する。Ｓ４０１において画像形成装置１は、移動元である第一の設置場所における画像形成装置１の第一操作者から、移動の準備開始指示を受け付ける。なお、第一操作者は、操作パネル１５の入力部２０を用いて移動の準備開始指示を入力する。
【００２９】
Ｓ４０２において、画像形成装置１は、第一操作者による移動レベルの選択を受け付ける。例えば、画像形成装置１は、移動の準備開始指示を受け付けると、操作パネル１５に移動レベルの確認画面を表示する。そして、第一操作者による移動レベルの入力を受け付ける。移動レベルは、画像形成装置１が移動する距離および移動内容を示すものである。本実施形態では、画像形成装置１は、第一操作者の入力に基づいて、移動レベルを、遠距離または近距離のいずれかであるものと決定する。移動レベルが遠距離の場合、Ｓ４０３に処理が進み、短距離の場合、Ｓ４０３をスキップしてＳ４０４に処理が進む。
【００３０】
Ｓ４０３において画像形成装置１は、装着されているインクタンクの取り外し処理を行う。画像形成装置１においてインクタンクの取り外しに必要な処理が行われた後に、第一操作者によってインクタンクの取り外しが行われる。このように、移動レベルが遠距離の場合には、インクタンクの取り外しが行われる。続いて、Ｓ４０４に処理が進む。
【００３１】
Ｓ４０４において画像形成装置１は、画像形成装置１の内部に充填されているインクを装置外に排出する排出処理を行う。なお、移動レベルが近距離である場合は、Ｓ４０３のインクタンクの取り外しを実施せずに、画像形成装置１に充填されているインクを装置外に排出する。インクの排出が完了すると、Ｓ４０５に処理が進む。
【００３２】
Ｓ４０５において画像形成装置１は、移動先における表示設定の変更を予約するかを示す指示を第一操作者から受け付ける。具体的には、まず画像形成装置１は、表示設定の変更を予約するかを確認する確認画面を操作パネル１５に表示する。
【００３３】
図５は、操作パネル１５に表示される、表示設定の変更を予約するかを確認する確認画面５００の例を示す図である。確認画面５００は、表示設定の変更を予約するかを確認するメッセージ５１０と、予約することを指示するボタンアイコン５２０と、予約をしないことを指示するボタンアイコン５３０とが含まれている。確認画面５００は、第一操作者が理解することが可能な移動元の画像形成装置の操作者向けの表示設定に基づいて表記がされている。第一操作者は、操作パネル１５を通じて表示設定の変更を予約するかの指示を入力する。ボタンアイコン５２０を通じた指示が入力された場合、即ち、表示設定の変更を予約する場合、Ｓ４０６に処理が進む。ボタンアイコン５３０を通じた指示が入力された場合、即ち、表示設定の変更を予約しない場合、Ｓ４０６〜Ｓ４０８の処理をスキップし、Ｓ４０９に処理が進む。
【００３４】
Ｓ４０６〜Ｓ４０８は、表示設定の各項目の変更を予約する処理である。Ｓ４０６において画像形成装置１は、移動先において操作パネル１５の表示部２１に表示される表示メッセージの言語設定の予約を受け付ける。Ｓ４０７において画像形成装置１は、移動先における表示時刻のタイムゾーン設定の予約を受け付ける。Ｓ４０８において画像形成装置１は、移動先における表示情報の単位系の予約を受け付ける。Ｓ４０６〜Ｓ４０８は、例えば操作パネル１５にプルダウンメニューを表示し、プルダウンメニューの選択により入力を受け付けてもよい。また、Ｓ４０６〜Ｓ４０８の処理順は、この例に限られず、異なる順番でもよい。また、Ｓ４０６〜Ｓ４０８のうちの少なくとも１つの予約を受け付ける形態でもよい。また、Ｓ４０６〜Ｓ４０８のうちの少なくとも１つの予約に応じて、他の項目が自動的に予約されてもよい。また、Ｓ４０６〜Ｓ４０８のうちの少なくとも１つの予約に応じて、他の項目に関して選択範囲を限定したプルダウンメニューを表示してもよい。その後、Ｓ４０９に処理が進む。表示設定の予約がされた場合、表示設定の予約がされていることを示す情報、および、予約された表示設定の内容がＦｌａｓｈＲＯＭ１４に記憶される。
【００３５】
Ｓ４０９において画像形成装置１は、電源を切り、動作を停止する。以上説明したＳ４０１からＳ４０９の処理を通じて、操作パネル１５の表示部２１に表示される表示情報は、移動元の第一操作者が理解することが可能な移動元の画像形成装置の操作者向けの表示設定に基づいて表示されている。従って、第一操作者は、普段使い慣れている表示設定での操作を行うことができる。
【００３６】
なお、本実施形態において設定変更予約の実施は、画像形成装置の移動の準備作業を実施するときに行われる形態を例に挙げて説明したが、これに限られない。設定変更予約は、画像形成装置の移動の準備実施時だけでなく、設定変更予約を実施したい任意のタイミングで実施することができる。
【００３７】
図４（ｂ）を用いて、移動先における再設置処理を説明する。図４（ｂ）では、移動先である第二の設置場所に画像形成装置１が移動済みであるものとして説明する。Ｓ４１０において画像形成装置１は、移動先の第二操作者によって電源を入れられることに応じて、装置内の電源をＯＮにする。
【００３８】
Ｓ４１１において画像形成装置１は、表示設定の変更が予約されているかを、ＦｌａｓｈＲＯＭ１４に記憶されている情報を参照して判定する。表示設定の変更が予約されている場合、Ｓ４１２に処理が進む。予約されていない場合、Ｓ４１２〜Ｓ４１４の処理をスキップし、Ｓ４１５に処理が進む。
【００３９】
Ｓ４１２において画像形成装置１は、予約されている内容に基づいて、操作パネル１５の表示部２１に表示される表示メッセージの言語設定の変更を行う。Ｓ４１３において画像形成装置１は、予約されている内容に基づいて、表示時刻のタイムゾーン設定の変更を行う。Ｓ４１４において画像形成装置１は、予約されている内容に基づいて、表示情報の単位系設定の変更を行う。Ｓ４１２〜Ｓ４１４の処理順は、この例に限られず、異なる順番でもよい。また、予約されていない項目がある場合、その処理はスキップされてよい。このように画像形成装置１は、予約されている内容に表示設定を切り替える切替処理を行う。その後、Ｓ４１５に処理が進む。
【００４０】
Ｓ４１５において画像形成装置１は、操作パネル１５に再設置メニューを表すメニュー画面を表示する。表示設定の変更の予約がされている場合には、予約されている内容が反映された状態で、再設置メニューが表示されることになる。Ｓ４１５において表示される再設置メニューは、移動先の第二操作者が理解することが可能な移動先の画像形成装置の操作者向けの表示設定に基づいて表示されることになる。従って、第二操作者は、普段使い慣れている表示設定での操作を行うことができる。なお、表示設定の変更の予約がされていない場合には、表示設定の変更は行わずに再設置メニューが表示される。
【００４１】
Ｓ４１６において画像形成装置１は、再設置メニューに対する第二操作者の操作を受け付ける。表示される再設置メニューには、移動レベルの選択を受け付ける項目が含まれる。画像形成装置１は、第二操作者の操作に応じて、移動レベルが遠距離か短距離かを判定する。移動レベルが遠距離の場合、Ｓ４１７に処理が進む。移動レベルが短距離の場合、Ｓ４１７の処理はスキップし、Ｓ４１８に処理が進む。
【００４２】
Ｓ４１７において画像形成装置１は、インクタンクの装着処理を行う。第二操作者が画像形成装置１にインクタンクの装着を行い、画像形成装置１は、インクタンクの装着に伴う処理を行う。その後、Ｓ４１８に処理が進む。
【００４３】
Ｓ４１８において画像形成装置１は、画像形成装置１内にインクタンクからインクを充填する処理を行う。なお、移動レベルが近距離である場合、移動元から装着されているインクタンクからインクが充填される。予約が反映された場合、Ｓ４１６からＳ４１８の処理を通じて操作パネル１５の表示部２１に表示される表示情報も、第二操作者が理解することが可能な移動先の画像形成装置の操作者向けの表示設定に基づいて表示される。
【００４４】
なお、本実施形態では、予約されている表示設定の変更を反映するタイミングは、移動先における画像形成装置の起動時を例に挙げて説明したが、これに限られない。例えば、予約時に設定変更を反映する日時が設定されている場合には、その設定日時を経過したタイミングで表示設定の変更が反映されてもよい。即ち、所定の日時が経過したタイミングで表示設定の変更が反映されてもよい。あるいは、移動後の第一の起動後の後の第二の起動時に操作メニューが初めて表示されるような形態の場合には、第二の起動時に表示設定の変更が反映されてもよい。
【００４５】
以上説明したように、本実施形態によれば、画像形成装置１の移動前と移動後とで操作環境が異なる場合に、適切な表示設定に切り替えることが可能となる。即ち、本実施形態では、表示メッセージの言語設定、表示時刻のタイムゾーン設定、および表示情報の単位系設定といった、移動前後で変わる可能性のある表示設定の変更の予約を、移動元で予め行うことが可能となる。このため、移動先の第二操作者が、普段使い慣れていない表示設定での操作を実施しなくて済む。
【００４６】
例えば、移動元の第一操作者と移動先の第二操作者とで使用する言語が変わる場合は、言語設定変更の予約を行うことで、移動元では移動元の言語設定で画像形成装置１が動作し、移動先で起動したタイミングから移動先の言語設定で画像形成装置１が動作する。このため、第一操作者および第二操作者は、それぞれ自身の理解することが可能な言語設定で画像形成装置の操作を実施することが可能となる。また、画像形成装置をレンタルする業者等は、画像形成装置を貸し出す顧客に合わせて、あらかじめ各種の表示設定の変更を予約した状態で貸し出すことが可能となり、顧客先における表示設定の変更作業が不要となる。
【００４７】
なお、本実施形態では、画像形成装置を例に挙げて説明したが、これに限られない。操作パネルなどの表示部を有し、設定に応じて表示を切り替える電気機器に適用可能である。また、画像形成装置本体に搭載されている操作パネルの表示設定だけでなく、接続しているホストコンピュータから画像形成装置を操作するための操作画面の表示設定等にも適用可能である。即ち、ホストコンピュータの操作画面が画像形成装置の設定に応じて変わるような形態の場合には、画像形成装置の設定内容が反映されることに応じて、ホストコンピュータにおける操作画面の表示設定も変更される。
【００４８】
＜＜実施形態２＞＞
実施形態１では、表示設定の変更が予約されている場合には、移動先の第二操作者の操作に関わりなく、変更を反映する処理が行われる例を説明した。本実施形態では、表示設定の変更を反映する前に、変更を反映するかを、移動先の第二操作者に確認する処理を実施する形態を説明する。なお、実施形態１と共通する内容の説明は省略する。
【００４９】
図６は、本実施形態における画像形成装置１の処理内容を表すフローチャートである。図６のフローチャートは、移動先である第二の設置場所における再設置処理の処理内容を表す。本実施形態では、予約されている表示設定の変更を反映する前に、変更を反映するかを確認する処理を含む。
【００５０】
Ｓ６０１およびＳ６０２の処理は、図４（ｂ）のＳ４１０およびＳ４１１と同様の処理である。Ｓ６０２において表示設定の変更の予約がされている場合、Ｓ６０３に処理が進む。予約がされていない場合、Ｓ６０３〜Ｓ６０５の処理をスキップし、Ｓ６０６に処理が進む。
【００５１】
Ｓ６０３において画像形成装置１は、予約されている表示設定の変更を反映するかを第二操作者からの指示に基づいて決定する。具体的には、まず本実施形態の画像形成装置１は、表示設定の変更が予約されている場合、表示設定の変更を反映するかの指示を第二操作者が入力するための確認画面を操作パネル１５に表示する。
【００５２】
図７は、予約されている表示設定の変更を反映するかを確認する確認画面７００の一例を示す図である。確認画面７００は、移動元の表示設定での確認メッセージ７１０および移動先の表示設定での確認メッセージ７２０の両方が併記して表示されている。また、確認画面７００には、予約を反映することを指示するボタンアイコン７３０および予約を反映しないことを指示するボタンアイコン７４０が含まれている。ボタンアイコン７３０を介した指示が入力されると、Ｓ６０４に処理が進む。ボタンアイコン７４０を介した指示が入力されると、Ｓ６０６に処理が進む。また、確認画面７００には、移動元の表示設定および移動先の表示設定のいずれも理解できない操作者のために、「？」のような直感的に理解することが可能な画像イメージのボタンアイコン７５０が含まれている。ボタンアイコン７５０を介した指示が入力されると、Ｓ６０５に処理が進む。
【００５３】
予約されている表示設定の変更を反映する指示が入力された場合、Ｓ６０４において画像形成装置１は、予約されている表示設定の変更を反映する処理を実施する。Ｓ６０４における処理は、図４（ｂ）のＳ４１２〜Ｓ４１４と同等の処理であり、ここでの説明は省略する。一方、予約されている表示設定の変更を反映しない指示が入力された場合、画像形成装置１は、Ｓ６０６に進み、再設置メニューを表示する。即ち、画像形成装置１は、表示設定の変更が予約されているものの、その予約されている変更を反映せずに、再設置メニューを表示する。
【００５４】
図８は、「？」を表すボタンアイコン７５０を介した指示が入力された場合、Ｓ６０５において操作パネル１５に表示される、表示設定を操作者に選択させる選択画面８００の一例を示す図である。例えば、画像形成装置１は、各種の言語表示で使用する言語を選択するプルダウンメニュー８１０を表示し、操作者の指示に応じた言語を設定する。その後、Ｓ６０６に進み、選択された表示設定に応じた再設置メニューが表示される。Ｓ６０７〜Ｓ６０９の処理は、図４（ｂ）のＳ４１６〜Ｓ４１８と同じ処理であるので、説明は省略する。
【００５５】
なお、Ｓ６０３では、画像形成装置１は、第二操作者からの指示に基づいて設定変更の予約を反映するかを決定する例を説明したが、これに限られない。例えば、所定の待機時間を設けておき、所定の待機時間内に指示が入力されない場合、予め定められた処理をしてもよい。即ち、操作者からの指示がない場合には、設定変更の予約を反映した再設置メニューを表示してもよいし、設定変更の予約を反映せずに再設置メニューを表示してもよいし、表示設定の選択画面を表示してもよい。
【００５６】
以上説明したように、本実施形態の処理によれば、移動元の第一の設置場所において表示設定の変更が予約されている場合、変更を反映するかを移動先の第二操作者に確認する処理が実施される。このため、仮に予定していた画像形成装置の移動が実行されなくなり、再度移動元の第一操作者が画像形成装置を起動する場合であっても、第一操作者が理解可能な移動元の表示設定に従って第一操作者が設定変更を確認することができる。また、予定通り移動を実施した場合においても、移動先の第二操作者が理解可能な確認画面が表示されるので、第二操作者は、表示設定の変更を反映し、第二操作者が使い慣れている表示設で操作することが可能となる。さらには、移動元および移動先のどちらの表示設定も理解できない操作者が画像形成装置を使うことになった場合においても、直感的に判断可能なボタンアイコンを介して、表示設定の選択画面に操作者を誘導することも可能である。
【００５７】
＜＜実施形態３＞＞
実施形態１および２においては、表示設定の変更が予約されている場合に、その変更を反映する処理を主に説明した。本実施形態では、表示設定の変更の予約自体がされていない場合、予め設定されているデフォルト設定への変更を行う形態を説明する。以下、実施形態２を基準として、実施形態２との相違部分を中心に説明する。なお、実施形態２ではなく実施形態１と組み合わせた形態を採用してもよい。
【００５８】
図９は、本実施形態における画像形成装置の処理内容を示すフローチャートである。図９のＳ９０１〜Ｓ９０６、および、Ｓ９１０〜Ｓ９１２は、図６のＳ６０１〜Ｓ６０６、および、Ｓ６０７〜Ｓ６０９の処理とそれぞれ同じ処理であるので、説明を省略する。
【００５９】
Ｓ９０２において表示設定の変更の予約がされていない場合、処理はＳ９０７に進む。Ｓ９０７において画像形成装置１は、デフォルトの表示設定があるかを確認する。例えば、画像形成装置１は、ＦｌａｓｈＲＯＭ１４に記憶されている情報に基づいてデフォルトの表示設定が存在するか否かを判定する。デフォルトの表示設定が存在する場合、Ｓ９０８に処理が進む。デフォルトの表示設定が存在しない場合、Ｓ９０６に処理が進み、再設置メニューが表示される。
【００６０】
デフォルトの表示設定が存在する場合、Ｓ９０８において画像形成装置１は、デフォルトの表示設定に変更するかを第二操作者の指示に基づいて決定する。具体的には、まず画像形成装置１は、デフォルトの表示設定に変更するかの指示を第二操作者が入力するための確認画面を操作パネル１５に表示する。
【００６１】
図１０は、デフォルトの表示設定に変更するかを第二操作者に確認するための確認画面１０００の一例を示す図である。本実施形態では、デフォルトの表示設定が「日本語」である場合を例に挙げて説明する。また、移動元の第一設置場所の表示設定が「英語」である場合を例に挙げて説明する。確認画面１０００は、移動元の表示設定での確認メッセージ１０１０およびデフォルト表示設定での確認メッセージ１０２０の両方が併記して表示されている。
【００６２】
確認画面１０００は、デフォルト表示設定への変更を指示するボタンアイコン１０３０およびデフォルト表示設定への変更しないことを指示するボタンアイコン１０４０を含む。ボタンアイコン１０３０を介した指示が入力されると、Ｓ９０９に処理が進む。ボタンアイコン１０４０を介した指示が入力されると、表示設定の変更がされることなくＳ９０６に処理が進む。
【００６３】
デフォルト表示設定への変更の指示が入力されると、Ｓ９０９において画像形成装置１は、表示設定をデフォルト表示設定に変更する。そして、Ｓ９０６に処理が進み、変更されたデフォルト表示設定での再設置メニューが表示される。
【００６４】
以上説明したように、本実施形態によれば、移動元で表示設定の変更の予約を実施しない場合であっても、移動先の第二操作者は、予め設定されているデフォルト表示設定で画像形成装置を使用することが可能となる。例えば、本実施形態は、第一操作者が画像形成装置のレンタルサービスの提供を受けている顧客である場合に有用である。つまり、レンタル業者は、予め画像形成装置にデフォルトの表示設定を記憶させておく。そして、顧客に画像形成装置をレンタルする。すると、顧客がレンタル業者に返却する際に、表示設定の変更の予約を顧客が行わずに返却したとしても、レンタル業者に返却された時点で、レンタル業者は、予め設定しておいたデフォルト表示設定に設定を変更することが可能となる。
【００６５】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６６】
１    画像形成装置
１１  ＣＰＵ
１５  操作パネル
２１  表示部
【図１】
2020100038.tif 000003
【図２】
2020100038.tif 000004
【図３】
2020100038.tif 000005
【図４】
2020100038.tif 000006
【図５】
2020100038.tif 000007
【図６】
2020100038.tif 000008
【図７】
2020100038.tif 000009
【図８】
2020100038.tif 000010
【図９】
2020100038.tif 000011
【図１０】
2020100038.tif 000012